(57)【要約】【課題】  記録情報の長期保存に適し、かつ可搬又は携帯性が向上したハードディスク装置を安価に提供することを目的とする。【解決手段】  記録及び／又は再生装置によって読み取り可能な可搬または携帯可能な読み取り専用のハードディスク装置において、記録及び／又は再生装置に設けられた１次側コイルとともにトランスを構成する２次側コイルと、充電式電池とを有する電源回路と、記録及び／又は再生装置に設けられた磁石と電源回路から供給される電力によって駆動されるＶＣＭコイルと、記録及び／又は再生装置に設けられたスピンドルモータによって非接触で駆動されるスピンドルと、磁気ディスクからの再生信号及びサーボ信号、前記ＶＣＭコイルへの駆動信号を前記記録及び／又は再生装置との間で光通信又は無線高周波伝送により送受信する通信部とを備える。【選択図】      図１
2006024316.tif 000002
【特許請求の範囲】
【請求項１】
記録及び／又は再生装置によって読み取り可能な可搬または携帯可能な読み取り専用のハードディスク装置であって、
ナノインプリントによる凹凸により情報が記録されたディスクと、
読み取り専用のヘッドスライダと、
前記記録及び／又は再生装置に設けられた１次側コイルとともにトランスを構成する２次側コイルと、前記２次側コイルからの電力を蓄積する充電式電池とを有する電源回路と、
前記ヘッドスライダを所定の位置に移動させるアーム機構と、
前記記録及び／又は再生装置に設けられた磁石と前記電源回路から供給される電流によって駆動され、前記アーム機構を駆動するＶＣＭコイルと、
前記ディスクが固定され、前記記録及び／又は再生装置に設けられたスピンドルモータによって非接触で駆動されるスピンドルと、
前記ディスクからの再生信号及びサーボ信号、前記ＶＣＭコイルへの駆動信号を前記記録及び／又は再生装置との間で送受信する通信部と、
を備えたことを特徴とするハードディスク装置。
【請求項２】
記録及び／又は再生装置によって読み取り可能であり、可搬または携帯可能なハードディスク装置であって、
記録及び／又は再生用のディスクと、
前記ディスクの記録及び／又は再生用のヘッドスライダと、
前記ヘッドスライダを所定の位置に移動させるアーム機構と、
前記記録及び／又は再生装置に設けられた磁石による外部磁界と、前記電源回路から供給される電流とにより駆動されることにより前記アーム機構を駆動するＶＣＭコイルと、
前記ディスクが固定され前記ディスクを回転させるスピンドルと、
前記ＶＣＭコイルに電流を供給する電源回路と、
を備えたことを特徴とするハードディスク装置。
【請求項３】
前記スピンドルは、前記記録及び／又は再生装置に設けられたスピンドルモータによって非接触で駆動されることを特徴とする、請求項２に記載のハードディスク装置。
【請求項４】
前記ディスクからの再生信号及びサーボ信号、前記ＶＣＭコイルへの駆動信号を前記記録及び／又は再生装置との間で送受信する通信部をさらに備え、
前記電源回路は、前記記録及び／又は再生装置から非接触で電力の供給を受けることを特徴とする、請求項２又は３に記載のハードディスク装置。
【請求項５】
前記ディスクは、再生専用のＲＯＭとして使用されることを特徴とする、請求項２乃至４の何れかに記載のハードディスク装置。
【請求項６】
前記ディスクは、読み取り専用のＲＯＭとして使用されるＲＯＭ領域と、読み取り及び書き込み可能なＲＡＭ領域として使用される領域とを含むことを特徴とする、請求項２乃至４の何れかに記載のハードディスク装置。
【発明の詳細な説明】
【技術分野】
【０００１】
本発明は、ハードディスク装置、特に、可搬又は携帯可能なハードディスク装置に関する。
【背景技術】
【０００２】
携帯型のハードディスク装置は、ＤＶＤ（Digital Versatile Disc）、ブルーレイディスク（Blu-ray Disk）等の光ディスクに比較して大量の情報を携帯することができ、高速に情報を読み出すことができる。しかしながら、ハードディスク装置では、塵埃の侵入を防止するため、ディスク、ヘッドスライダ、ヘッドスライダを移動するアーム機構とともに密閉された構造を取る必要があり、部品点数が多いため、携帯時の振動や長期間の使用の繰り返しによって、部品の故障が発生する確率が高い。また、部品点数が多いことから小型化及び軽量化が困難であり、コストダウンも困難である。
【０００３】
特許文献１には、ディスク、ヘッドスライダ、前記ヘッドスライダを保持し移動させるアーム機構、及び該アーム機構の動作を制御する回路部を収納するケースを、衝撃吸収材を介して筐体に収納した携帯型ハードディスク装置が記載されている。この携帯型ハードディスクは、筐体に設けられた端子部を介して外部のコンピュータ等に電気的に接続される。
【０００４】
特許文献２には、ハードディスク部、充電式電池、電磁誘導充電部及び通信部を備えた情報記憶装置が記載されている。電磁誘導充電部は、非接触で外部から電力の供給を受け、充電式電池を定期的に充電し、充電式電池がハードディスク部に電力を供給する。また、通信部は、外部との電気的な接触なしに、パソコン、携帯電話等の外部の機器との間でデータの送受信し、外部の機器とハードディスク部との間のデータ送受信を仲介する。
【０００５】
特許文献３には、ハードディスクユニット対応ＣＤチェンジャーにより再生されるハードディスクユニットが記載されている。ハードディスクユニット対応ＣＤチェンジャーは、通常のＣＤチェンジャーと同様にＣＤマガジンを再生可能であるとともに、ハードディスクユニットを再生可能である。特許文献３に記載のハードディスクユニットは、ＣＤマガジンと略同一の外形であり、ハードディスクユニット対応ＣＤチェンジャーと電気的に接続されるためのコネクタを備えている。
【０００６】
特許文献４には、リムーバブル型ディスクカートリッジ及びこのディスクカートリッジが装着されるシステム本体が記載されている。ディスクカートリッジは、ケースＡ及びケースＢからなり、ケースＡにはディスク及びヘッドスライダが収納され、ケースＢにはディスク支持柱に直結された第１の磁性円板及びヘッドスライダの位置を制御する第２の磁性円板が収納されている。また、ディスクカートリッジがシステム本体との間でデータの送受信を行うための電気信号用コネクタが、ケースＡ、Ｂに設けられている。ディスク回転用モータ及びＶＣＭコイルモータは、システム本体側、即ちディスクカートリッジの外部に配置されている。このディスクカートリッジは、システム本体に装着され、システム本体のディスク回転モータの回転軸が第１の磁性円板と嵌合してディスクを回転させ、システム本体のＶＣＭコイルモータが第２の磁性円板と嵌合してヘッドスライダの位置を制御する。
【０００７】
特許文献５には、小型で可搬または携帯可能なハードディスク装置におけるディスクのロック機構が記載されている。このロック機構は、ディスクの非回転時においてディスクの外周縁端部にパッドを押しつけて固定する機構であり、ディスクの振動のノードとなり
難い少なくとも２箇所にパッドを押しつけて、ディスクを固定している。
【０００８】
特許文献６には、ＵＳＢ２０から電力の供給を受けハードディスク装置に電力を供給する電源装置が記載されている。この電源装置は、ＵＳＢ２０からの電力供給のうち５００ｍＡ以下の電流のみを取り出し、ハードディスク装置への電力を規制しつつ、電気二重層コンデンサに所定容量まで充電を行い、充電容量が所定量に達したとき、ＵＳＢ２０からの５００ｍＡ以下の電流と、電気二重層コンデンサからの出力電流とをハードディスク装置に供給することにより、電気容量が規定されたＵＳＢ２０からの出力だけを利用してハードディスク装置における駆動電力不足を解消している。
【０００９】
特許文献７には、ナノインプリントによるディスクの形成方法が記載されている。このナノインプリント法では、原盤の凹凸パターン形成領域（情報形成領域）に合わせてバッファ層を配置して被転写基板に原盤の凹凸パターンを転写している。
【特許文献１】特開２００３−２７２３６７号公報（第３−５頁，第１図）
【特許文献２】特開２００３−１９６９６４号公報（第４頁、第１図）
【特許文献３】特開２００３−１７８５７２号公報（第３頁、第１−２図）
【特許文献４】特開平８−３０６１７８号公報（第３頁、第１−２図）
【特許文献５】特開平６−２６７２３９号公報（第３−５頁、第１−２図）
【特許文献６】特開２００１−２０２１４４号公報（第４−７頁、第１−２図）
【特許文献７】特開２００３−１５７５２０号公報（第８−９頁、第１−２図）
【発明の開示】
【発明が解決しようとする課題】
【００１０】
上述したハードディスク装置は、装置を構成する部品点数が多く、記録情報の長期保存に適していない。また、部品点数が多いため小型化及び軽量化が困難であり、携帯性を向上させる必要がある。また、部品点数が多いためコストダウンが困難であり、コストダウンの必要もある。
【００１１】
本発明は、記録情報の長期保存に適し、かつ可搬又は携帯性が向上したハードディスク装置を安価に提供することを目的とする。
【課題を解決するための手段】
【００１２】
第１発明に係るハードディスク装置は、記録及び／又は再生装置によって読み取り可能な可搬または携帯可能な読み取り専用のハードディスク装置であって、ナノインプリントによる凹凸により情報が記録されたディスクと、読み取り専用のヘッドスライダと、前記記録及び／又は再生装置に設けられた１次側コイルとともにトランスを構成する２次側コイルと、前記２次側コイルからの電力を蓄積する充電式電池とを有する電源回路と、前記ヘッドスライダを所定の位置に移動させるアーム機構と、前記記録及び／又は再生装置に設けられた磁石と前記電源回路から供給される電流によって駆動され、前記アーム機構を駆動するＶＣＭコイルと、前記ディスクが固定され、前記記録及び／又は再生装置に設けられたスピンドルモータによって非接触で駆動されるスピンドルと、前記ディスクからの再生信号及びサーボ信号、前記ＶＣＭコイルへの駆動信号を前記記録及び／又は再生装置との間で送受信する通信部とを備えたことを特徴とする。
【００１３】
このハードディスク装置では、ＶＣＭコイルを駆動する磁石及びスピンドルモータが外部機器に配置されており、部品点数を低減でき、故障や交換の確率を大幅に低減できる。また、ＶＣＭコイルが外部と非接触で駆動され、スピンドルが外部のスピンドルモータにより非接触で回転されるため、部品の摩耗による劣化を防止できる。部品点数の低減及び部品の摩耗劣化の防止により、記録情報の長期保存に適したハードディスク装置を提供できる。
【００１４】
また、重量の重い磁石及びスピンドルモータが内蔵されないことにより、小型化及び軽
量化を図ることができ、携帯性を向上させることができる。また、部品点数の低減によりコストダウンを図ることができる。
【００１５】
また、電源供給を非接触で受け、信号送受信を光通信又は無線高周波伝送で行うため、電源供給用及び信号送受信用のコネクタが省略され、さらに部品点数を低減できる。また、コネクタによる接続が省略されることにより、コネクタの摩耗による劣化も防止できる。
【００１６】
また、ナノインプリントによる高速転写により、映画等の膨大な映像データを安価かつ高速にディスクに記録できる。
【００１７】
第２発明に係るハードディスク装置は、記録及び／又は再生装置によって読み取り可能であり、可搬または携帯可能なハードディスク装置であって、記録及び／又は再生用のディスクと、前記ディスクの記録及び／又は再生用のヘッドスライダと、前記ヘッドスライダを所定の位置に移動させるアーム機構と、前記記録及び／又は再生装置に設けられた磁石による外部磁界と、前記電源回路から供給される電流とにより駆動されることにより前記アーム機構を駆動するＶＣＭコイルと、前記ディスクが固定され前記ディスクを回転させるスピンドルと、前記ＶＣＭコイルに電流を供給する電源回路とを備えたことを特徴とする。
【００１８】
このハードディスク装置では、ＶＣＭコイルを駆動する磁石が外部機器に配置されており、部品点数を低減できる。さらに、ＶＣＭコイルが外部機器と非接触で駆動されるため、部品の摩耗による劣化を防止できる。部品点数の低減及び部品の摩耗劣化の防止により、記録情報の長期保存に適したハードディスク装置を提供できる。
【００１９】
また、重量の重い磁石が内蔵されないことにより、小型化及び軽量化を図ることができ、携帯性を向上させることができる。また、部品点数の低減によりコストダウンを図ることができる。
【００２０】
第３発明に係るハードディスク装置は、第２発明に係るハードディスク装置において、前記スピンドルは、前記記録及び／又は再生装置に設けられたスピンドルモータによって非接触で駆動されることを特徴とする。
【００２１】
スピンドルモータを外部機器に設けるため部品点数をさらに低減できる。また、外部のスピンドルモータの回転を非接触でスピンドルに伝達するため、スピンドルモータの回転をスピンドルに伝達する伝達機構が摩耗により劣化することを防止できる。
【００２２】
また、スピンドルモータが内蔵されないことにより、小型化及び軽量化を図ることができ、携帯性を向上させることができる。また、部品点数の低減によりコストダウンを図ることができる。
【００２３】
第４発明に係るハードディスク装置は、第２又は第３発明に係るハードディスク装置において、前記ディスクからの再生信号及びサーボ信号、前記ＶＣＭコイルへの駆動信号を前記記録及び／又は再生装置との間で送受信する通信部をさらに備え、前記電源回路は、前記記録及び／又は再生装置から非接触で電力の供給を受けることを特徴とする。
【００２４】
電源供給を非接触で受け、信号送受信を光通信又は無線高周波伝送で行うため、電源供給用及び信号送受信用のコネクタが省略され、さらに部品点数を低減できる。また、コネクタによる接続が省略されることにより、コネクタの摩耗による劣化も防止できる。
【００２５】
第５発明に係るハードディスク装置は、第２乃至第４発明の何れかに係るハードディスク装置において、前記ディスクは、再生専用のＲＯＭとして使用されることを特徴とする。
【００２６】
ハードディスク装置を再生専用にすれば、ヘッドスライダは読み取り用のヘッドのみで良く、書き込み信号を増幅するアンプ等の構成も省略できるので、さらに部品点数を低減
できる。
【００２７】
第６発明に係るハードディスク装置は、第２乃至第４発明の何れかに係るハードディスク装置において、前記ディスクは、読み取り専用のＲＯＭとして使用されるＲＯＭ領域と、読み取り及び書き込み可能なＲＡＭ領域として使用される領域とを含むことを特徴とする。
【００２８】
このハードディスク装置によれば、ＲＯＭ領域に記録された大量の読み取り専用データとともに、ユーザが自由に情報を書き込みできるＲＡＭ領域をユーザに提供することができる。
【発明の効果】
【００２９】
本発明によれば、記録情報の長期保存に適し、かつ可搬又は携帯性が向上したハードディスク装置を安価に提供ことができる。
【発明を実施するための最良の形態】
【００３０】
図１は、本発明の一実施形態に係る携帯型ハードディスク装置の全体概略構成を示す断面図である。このハードディスク装置は、略矩形の箱形形状の筐体２に後述するディスク３、スピンドル７等の部品が実装されたものである。
【００３１】
このハードディスク装置１は、読み取り専用のハードディスク装置であり、記録及び／又は再生装置１００（以下、記録再生装置１００と称す）に装着されて記録情報が読み出される。
【００３２】
ハードディスク装置１は、ディスク３と、ディスク３の情報を読み取るヘッドスライダ４と、ヘッドスライダ４を所定の位置に移動させるアーム機構５と、アーム機構５を駆動するＶＣＭ（Voice Coil Motor）コイル６（以下、ＶＣＭコイル６と称す）と、ディスク３を保持するスピンドル７と、記録再生装置１００との間で光通信又は無線高周波伝送により信号を送受信する通信部８と、各部に電源を供給する電源回路９とを備えている。
【００３３】
記録再生装置１００は、ＶＣＭコイル６を貫く外部磁界を発生させるＶＣＭマグネット１０１と、スピンドル７を非接触で回転させるスピンドルモータ１０６と、通信部８と光通信又は無線高周波伝送によりデータを送受信する通信部１０９と、通信部１０９で受信した再生信号及びサーボ信号を処理する信号処理回路１２０と、電源回路９に非接触で電源を供給する電源供給回路１１０とを備えている。
【００３４】
ディスク３は、磁気により情報が記録される磁気ディスク又はナノインプリント等による凹凸により情報が記録される静電容量読み取り型のディスクである。ディスク３は、読み取り専用のＲＯＭとして使用される。ディスク３の直径は、携帯型ハードディスクに適した３．５インチ，２．５インチ，１．８インチ，１．０インチ，０．８インチ等である。
【００３５】
ナノインプリントによって凹凸が形成される場合には、情報が高速に転写されるので、映画等の膨大な映像データを安価かつ高速にディスク３に記録できる。
【００３６】
また、光記録再生技術では面記録密度が１８Ｇｂｐｓｉ止まりであるが、ハードディスク関連技術では面記録密度１００〜５００Ｇｂｐｓｉまで達成できる。従って、ディスク３の記憶容量は、ＤＶＤ（Digital Versatile Disc）、ブルーレイディスク（Blu-ray Disk）等の光ディスクと比較して膨大であり、光ディスクよりも多くの情報を記録することができる。
【００３７】
ヘッドスライダ４は、ディスク３が磁気ディスクである場合には、ＧＭＲ（Giant Magneto Resistive）ヘッド、ＴＭＲ（Spin Tunneling Magnetoresistive Effect）ヘッド、
ＣＰＰＧＭＲ（Current Perpendicular to Plane GMR）ヘッド等を用いる。ディスク３がナノインプリントである場合には、静電容量検出型のヘッドを用いる。ヘッドスライダ４は、例えば十数ｎｍ以下の間隔までディスク３の表面に接近して非接触で記録情報（静電容量）を読み取る。
【００３８】
アーム機構５は、図２に示すように、筐体２の底面に固定された軸受けユニット５１と、軸受けユニット５１に挿入される回転部５２と、先端にヘッドスライダ４が装着されたアーム５３とを主に備え、これらがワッシャ５４及びナット５５により固定されている。回転部５２は、軸受けユニット５１に回転自在に支持されており、その外方側（ヘッドスライダ４と反対側）にＶＣＭコイル６が装着されている。また、アーム機構５には、図示しないＦＰＣ(Flexible Printed Circuit)が設けられている。ＦＰＣは、ヘッドスライダ４をプリアンプを介して通信部８に接続している。また、ＦＰＣは、ＶＣＭコイル６に駆動電流を供給する。
【００３９】
ＶＣＭコイル６は、上述したように、アーム機構５の回転部５の外方側に取り付けられている。ＶＣＭコイル６の回転により、アーム機構５のアーム５３及びヘッドスライダ４の位置が制御される。ハードディスク装置１が記録再生装置１００に装着されたとき、図１及び図３に示すように、ＶＣＭマグネット１０１は、ＶＣＭコイル６を両側から挟み込むように配置されている。図３では筐体２を省略しているが、ＶＣＭマグネット１０１は、図１に示すように、筐体２の外部、即ち記録再生装置１００に設けられており、筐体２を介してＶＣＭコイル６を貫く外部磁界を発生させる。また、ＶＣＭコイル６には、図示しないＶＣＭドライバから駆動電流が供給される。ＶＣＭドライバは、電源回路９から電源を供給され、通信部８から受信する駆動信号に基づいて駆動電流を出力する。
【００４０】
ＶＣＭマグネット１０１による外部磁界中にＶＣＭコイル６が配置された状態で、ＶＣＭコイル６に駆動電流を流すと、ＶＣＭコイル６を図３のθ方向に回転させる回転推進力が発生する。ＶＣＭマグネット１０１は、ＶＣＭコイル６を挟んで配置される磁石１０２及び１０３と、磁石１０２及び１０３の磁束が必要な部分に集中するように規制するヨーク１０４及び１０５とから構成されている。
【００４１】
スピンドル７は、樹脂等で形成されており、図４（ａ）に示すように、筐体２の底面に設けられた軸受け１０に回転自在に支持されている。スピンドル７の下面には円板状の酸化鉄等からなる磁性板７０が設けられており、磁性板７０の外周部には複数の突起部７１が等間隔で配置されている。スピンドル７には、ディスク３が挿入されて固定されている。
【００４２】
ハードディスク装置１が記録再生装置１００に装着されると、スピンドル７の下方には筐体２の底面を介して磁性回転板１０８が配置される。磁性回転板１０８の上面中央部には凸部１０８ａが設けられており、この凸部１０８ａが軸受け１０の凹部１０ａに回転自在に嵌合して、軸受け１０と磁性回転板１０８との中心の位置合わせが行われる。磁性回転板１０８は、スピンドルモータ１０６の回転軸に固定されており、スピンドルモータ１０６によって回転される。磁性回転板１０８は、スピンドル７の突起部７１と略同一形状、同間隔で配置された複数の磁石１１１と、円板状のヨーク１１２から構成されている。ヨーク１１２には各磁石１１１を保持するためのリブが形成されている。磁性回転板１０８の磁石１１１と、スピンドル７の突起部７１との磁気的な結合によって、スピンドルモータ６の回転が突起部７１を介してスピンドル７に伝達される。即ち、スピンドルモータ１０６の回転が磁性回転板１０８に伝達され、磁性回転板１０８の回転が磁力により非接触でスピンドル７に伝達されることにより、ディスク３が回転される。
【００４３】
電源回路９は、記録再生装置１００の電源供給回路１１０に設けられた１次側コイル１
１０ａとともにトランスを構成して１次側コイル１０１ａから電力の供給を受ける２次側コイル９１と、２次側コイル９１で受けた電力を蓄積する蓄電式電池９２とを備えている。また、電源回路９は、２次側コイル９１で発生する交流電圧を整流するダイオード等を備えている。蓄電式電池９２は、電気二重層コンデンサ、アルミ電解コンデンサ、タンタルコンデンサ等の小型で高容量のものを用いることが好ましい。電源回路９は、コネクタやゲーブル等を介さずに非接触で筐体２外部から電力の供給を受けるので、ハードディスク装置１への電源供給のためにコネクタやケーブルを設ける必要がない。
【００４４】
通信部８は、記録再生装置１００の通信部１０９との間で、光通信又は無線高周波伝送により信号を送受信する。通信部８は、ヘッドスライダ４からプリアンプを通って出力された再生信号及びサーボ信号を通信部１０９に送信する。また、通信部８は、ＶＣＭコイル６への駆動信号を通信部１０９から受信する。
【００４５】
〔作用〕
本実施形態のハードディスク装置１では、スピンドル７が磁性回転板１０８を介してスピンドルモータ１０６により非接触で回転されるとともに、筐体外部に配置されたＶＣＭマグネット１０１によってＶＣＭコイル１０５が非接触で駆動される。また、ヘッドスライダ４から読み出された再生信号及びサーボ信号は、通信部８から記録再生装置１００に光通信又は無線高周波伝送で送信される。記録再生装置１００では、再生信号及びサーボ信号は、通信部１０９で受信された後、信号処理回路１２０で処理される。
【００４６】
〔効果〕
本実施形態のハードディスク装置１では、ＶＣＭマグネット１０１及びスピンドルモータ１０６が外部の記録再生装置１００に配置されており、部品点数を低減でき、故障や交換の確率を大幅に低減できる。また、ＶＣＭコイル６が外部の記録再生装置１００と非接触で駆動され、スピンドル７が外部のスピンドルモータ１０６により非接触で回転されるため、部品の摩耗による劣化を防止できる。部品点数の低減及び部品の摩耗劣化の防止により、記録情報の長期保存に適したハードディスク装置を提供できる。
【００４７】
また、重量の重いＶＣＭマグネット１０１及びスピンドルモータ１０６が内蔵されないことにより、小型化及び軽量化を図ることができ、携帯性を向上させることができる。また、部品点数の低減によりコストダウンを図ることができる。
【００４８】
また、電源回路９が電源供給を非接触で受け、通信部８が信号送受信を光通信又は無線高周波伝送で行うため、電源供給用及び信号送受信用のコネクタが省略され、さらに部品点数を低減できる。また、コネクタによる接続が省略されることにより、コネクタの摩耗による劣化も防止できる。
【００４９】
また、本実施形態の携帯型のハードディスク装置１は光ディスクと類似した携帯性を備えており、光ディスクよりも大量のデータを記録でき、大量のデータを安価に記録することに適した記録メディアである。このハードディスク装置１は、ＤＶＤソフト等の既存の記録メディアよりも多くの映像ソフトのタイトルを記録可能であり、映像ソフトの記録に適している。映像ソフトのように再生専用の情報を記録する場合には、ハードディスク装置は読み取り専用で良いので、ヘッドスライダ４を読み取りヘッドのみから構成して簡略化できる。
【００５０】
〔他の実施形態〕
上記実施形態では、ハードディスク装置１を読み取り専用として、ディスク３を読み取り専用のＲＯＭとして構成したが、図５に示すように、ディスク３にＲＯＭ領域３０２とＲＡＭ領域３０３とを設けても良い。同図（ａ）は、ＲＯＭ領域３０２を内側（開口部３０１側）に設け、ＲＡＭ領域を外側に設けた例である。同図（ｂ）は、ＲＡＭ領域３０３を内側に設け、ＲＯＭ領域３０２を外側に設けた例である。
【００５１】
ハードディスク装置１を記録再生用として構成する場合、上記実施形態においてヘッドスライダ４を読み取りヘッド及び書き込みヘッドから構成し、通信部８が記録再生装置１００の通信部１０９から書き込みデータを受信するようにする。
【００５２】
本実施形態のように、ディスク３にＲＡＭ領域３０３を設ければ、映像ソフト等をＲＯＭ領域３０２に記録してユーザに提供できるとともに、膨大な量のデータを管理するための情報、例えば映像ソフトの各タイトルのタイトル名等をユーザが書き込むことが可能になる。
【図面の簡単な説明】
【００５３】
【図１】本実施形態に係るハードディスク装置及び記録及び／又は再生装置の概略構成を示す断面図。
【図２】アーム機構の構成図。
【図３】ＶＣＭコイル及びＶＣＭマグネットの配置を示す図。
【図４】スピンドル及びスピンドルモータの配置を示す図。
【図５】ディスクにおけるＲＡＭ領域及びＲＯＭ領域の配置例。
【符号の説明】
【００５４】
１  ハードディスク装置
２  筐体
３  ディスク
４  ヘッドスライダ
５  アーム機構
６  ＶＣＭコイル
７  スピンドル
８  通信部
９  電源回路
１０  軸受け
１０ａ  凹部
５１  軸受けユニット
５２  回転部
５３  アーム
５４  ワッシャ
５５  ナット
７０  磁性回転板
７１  突起
９１  ２次側コイル
９２  充電式電池
１００  記録再生装置
１０１  ＶＣＭマグネット
１０２，１０３  磁石
１０４，１０５  ヨーク
１０６  スピンドルモータ
１０７  回転軸
１０８  磁性回転板
１０８ａ  凸部
１１０  電源供給回路
１１１  磁石
１１２  ヨーク
【図１】
2006024316.tif 000003
【図２】
2006024316.tif 000004
【図３】
2006024316.tif 000005
【図４】
2006024316.tif 000006
【図５】
2006024316.tif 000007